(57)【要約】  【課題】裁断紙のスライダに装着されるカッターヘッドにおいて、確実に安定した良好な状態で切断刃を保持し、切断刃により裁断した裁断片によって切断刃の裁断作業が阻害されることのない紙裁断機における新規なカッターヘッドを提供する。  【解決手段】レール６に配設したスライダ８には、カッターヘッド４５が装着され、カッターホルダー５８とカッターホルダー５８に着脱自在のカッターカバー５１及びカッターレバー５２等の着脱部とから構成されている。カッターホルダー５８はスライダ８に対してカッターバネ５６により付勢され、カッターレバー５２、カッターカバー５１を着脱自在に取り付けることができる。回転刃１１の側面は、円弧状のカッター当板５５によって支持され、カッター当板５５の円弧状の周面には回転刃１１により裁断された裁断片を排除する逃げ面６３が形成されている。  【選択図】図４
2006116682.tif 000002
【特許請求の範囲】
【請求項１】
紙裁断機における紙押え板７に沿って摺動自在なスライダ８に装着するカッターヘッド４５において、
前記カッターヘッド４５が、切断刃１１の一側面を支持するカッター当板５５を備え、
前記カッター当板５５における前記紙裁断機の基盤側に面する端部の少なくとも一部に、裁断された前記裁断紙の裁断片を前記切断刃１１側から排除する逃げ面６３〜６５が形成されてなることを特徴とするカッターヘッド。
【請求項２】
少なくとも前記切断刃１１による裁断紙の裁断開始時において、前記カッター当板５５と前記紙押え板７の側面とにより前記切断刃１１が挟持されてなることを特徴とする請求項１記載のカッターヘッド。
【請求項３】
前記切断刃１１が、回転刃であり、前記カッターヘッド４５が前記回転刃を回転自在に支承してなることを特徴とする請求項１又は２に記載のカッターヘッド。
【請求項４】
前記カッターヘッド４５が、前記紙裁断機の基盤側に付勢するバネ５６を介して前記スライダ８に取り付けられてなることを特徴とする請求項１〜３のいずれかに記載のカッターヘッド。
【発明の詳細な説明】
【技術分野】
【０００１】
本願発明は、紙裁断機における紙押え定規に沿って摺動させるスライダに装着したカッターヘッドに関するものである。
【背景技術】
【０００２】
従来から用いられている、紙押え定規に沿ってスライダを摺動させる形式の紙裁断機としては、本願出願人により先に提案した紙裁断機（例えば、特許文献１参照。）やペーパーカッター（例えば、特許文献２参照。）などがある。
【０００３】
図１４に示すように特許文献１に記載された紙裁断機では、紙面に対して垂直方向に延びたレール７０は、その両端近傍において図示せぬスプリングを介して上方に付勢され、レール７０の両端は、図示せぬ支持部材によって上下動可能に支持されている。即ち、レール７０は図示せぬスプリングによって浮動状態で支持されている。
【０００４】
レール７０に沿って摺動可能なスライダ７２は、ガイド部材７８を介してレール７０に嵌合している。レール７０の下面には、裁断紙を押えるためのスポンジ等からなる押え部材７５が設けられている。レール７０は、紙押え定規としての機能を兼ね備えている。
【０００５】
また、回転刃７３は滑り軸受８０を嵌合した軸７９に軸支されている。軸７９の両端は、それぞれスライダ本体側に設けられた軸受８２とスライダ本体に着脱可能に設けられたカバー８１に設けられた軸受８３とによって支承されている。ガイド部材７８がレール７０に嵌合した状態で、回転刃７３の側面はレール７０の位置決め面７４に接した状態となっている。
【０００６】
基盤７１の両端部には裁断紙の位置決をするための位置決め片７６が形成されている。また、基盤７１には、裁断紙の後縁の位置決めを行う可動の位置決め片７７が配設されている。
【０００７】
位置決め片７６により側縁が位置決めされた裁断紙を、レール７０の下面と基盤７１との間に挿入し、可動の位置決め片７７により裁断紙の後端を位置決めして、裁断紙を裁断位置にセットすることができる。
【０００８】
スライダ７２を押し下げながらレール７０に沿って移動させると、スライダ７２の移動に伴ってレール７０は、図示せぬスプリングの付勢力、レール７０の剛性力及びスライダ７２の押し下げ力との三者の間での力のバランスにより上下方向に自由移動することができる。これにより、裁断を行うためにスライダ７２を移動させても、裁断紙はレール７０と基盤７１との間に挟持することができ、スライダ７２に装着した回転刃７３によって裁断紙を裁断位置にて裁断することができる。
【０００９】
図１５、１６に示すように特許文献２に記載されたペーパーカッターでは、図示せぬベース盤の両端部に起伏自在に取り付けられた一対のアームの先端間に、ガイドレール９０が支持されている。ガイドレール９０には、カッターヘッド９１が移動自在に取り付けられている。
【００１０】
カッターヘッド９１は上部に湾曲したハンドル９２を備えたヘッド本体９３と、回転刃９４と、キャップ９５とから構成されている。図１６に示すようにヘッド本体９３は、ガイドレール９０にはめ込まれている。ヘッド本体９３の下部には板バネ等のスプリング９６が設けられ、ヘッド本体９３に対して外力が加えられないときには、ヘッド本体９３をガイドレール９０に対して上方に付勢している。
【００１１】
回転刃９４における円盤状の刃本体９７の中心部は、樹脂製の摘み９８によって取り付けられている。摘み９８の円筒部１００に形成した円板９９と弾性爪１０２を備えた部材１０１との間に回転刃９４が挟み込まれている。前記円筒部１００がヘッド本体９３の円形の凹部に嵌め込まれ、前記部材１０１がキャップ９５の円形の凹部に嵌め込まれることで、回転刃９４は回転自在に支持される。
【００１２】
キャップ９５はバヨネット結合によりヘッド本体９３に結合固定される。即ち、ヘッド本体９３に形成した係合用突起の断面と同じ断面形状を備えた係合用溝がキャップに形成され、係合用突起と係合用溝とを相互に噛み合わせたうえで、キャップ９５を僅かな角度だけ捩じることにより、キャップ９５をヘッド本体９３に固定することができる。
【００１３】
図示せぬベース盤上に裁断紙を載せてから、ガイドレール９０を紙面に密着する位置まで押し下げ、カッターヘッド９１のハンドル９２を手で押さえながらガイドレール９０に沿って移動させる。これにより、カッターヘッド９１に取り付けた回転刃９４によって裁断紙を裁断することができる。
【００１４】
このとき、カッターヘッド９１に加えた押圧力によって、ガイドレール３はスプリング９６を介して下方側に押圧される。また、カッターヘッド９１はガイドレール９０に対して相対的にスプリング９６を撓ませながら下方側に移動する。回転刃９４がガイドレール９０の下面から突出して裁断紙面に食い込みながら回転して、裁断紙の裁断を行う。
【特許文献１】特開平６―２６２５８６号公報
【特許文献２】特開平１０―３４５９２号公報
【発明の開示】
【発明が解決しようとする課題】
【００１５】
特許文献１に記載された紙裁断機では、カバー８１における基盤７１側と対峙する下面は、基盤７１と平行な面となっている。このため、回転刃７３で裁断することのできる裁断紙の最大枚数としては、回転刃７３の先端から前記カバー８１の下面までの間に存在することのできる枚数となる。即ち、裁断の途中で前記下面が回転刃７３により裁断された裁断片に当接すると、スライダ７２の下降が制限され、回転刃７３によるそれ以上の裁断ができなくなる。
【００１６】
また、回転刃７３による裁断開始時に、カバー８１の下面が裁断紙に当接すると、裁断紙の裁断載置位置をズラしてしまう事態が発生する。特に、特許文献１の紙裁断機では、裁断紙を圧接保持する保持力は、スライダ７２を押圧する押圧力により与えられている。
【００１７】
このため、スライダ７２を摺動させてカバー８１の下面が裁断紙に当接すると、スライダ７２の摺動を阻害したり、当接によってスライダ７２を上方に持ち上げる力が作用したりする。このとき、スライダ７２を押圧する押圧力が弱まり、あるいは手でスライダ７２を押圧している力を弱めてしまうと、裁断紙を圧接保持する力が減少する。
【００１８】
裁断紙を圧接保持する力が減少した状態でスライダ７２がなおも摺動すると、スライダ７２の摺動に伴ってカバー８１の下面や下面近傍によって裁断紙の裁断位置をズラスことになる。しかも、裁断紙をズラしながら回転刃による裁断が行われるので、ジグザク状の裁断となったりして、裁断が正確に行われない。
【００１９】
特許文献２に記載されたペーパーカッターにおいても、カッターヘッド９１を押圧する力でスプリング９６を圧縮させ、圧縮したスプリング９６を介してガイドレール９０に対して裁断紙を押圧する力を与えている。このため、特許文献１の場合と同様に、キャップ９５のベース盤側に面する下面が、ベース盤上に載置した裁断紙に当接すると回転刃９４によるそれ以上の裁断が行えなくなってしまう。
【００２０】
また、キャップ９５の下面又は同下面近傍が、裁断紙に当接すると、裁断紙の裁断載置位置をズラしてしまう事態が発生してしまうなど、特許文献１における問題点と同様の問題点を抱えている。
【００２１】
本願発明は、上記課題を解決するものであり、確実に安定した良好な状態での紙押え機能を確保し、切断刃により裁断した裁断片によって切断刃の裁断作業が阻害されることのない紙裁断機における新規なカッターヘッドを提供することを目的としている。
【課題を解決するための手段】
【００２２】
本願発明では請求項１に記載したように、紙裁断機における紙押え板に沿って摺動自在なスライダに装着するカッターヘッドにおいて、前記カッターヘッドが、切断刃の一側面を支持するカッター当板を備え、前記カッター当板における前記紙裁断機の基盤側に面する端部の少なくとも一部に、裁断された前記裁断紙の裁断片を前記切断刃側から排除する逃げ面が形成されてなることを最も主要な特徴となしている。
【００２３】
また、本願発明では請求項２に記載したように、少なくとも前記切断刃による裁断紙の裁断開始時において、前記カッター当板と前記紙押え板の側面とにより前記切断刃が挟持されてなることを主要な特徴となしている。
【００２４】
更に、本願発明では請求項３に記載したように、前記切断刃が、回転刃であり、前記カッターヘッドが前記回転刃を回転自在に支承してなることを主要な特徴となしている。
【００２５】
更にまた、本願発明では請求項４に記載したように、前記カッターヘッドが、前記紙裁断機の基盤側に付勢するバネを介して前記スライダに取り付けられてなることを主要な特徴となしている。
【発明の効果】
【００２６】
本願発明におけるカッターヘッドでは、カッターヘッドに装着した切断刃の一側面を支持するカッター当板の下端面、即ち、紙裁断機の基盤側に面するカッター当板の端部の少なくとも一部に逃げ面を形成しているので、逃げ面によって切断刃で裁断した裁断片を切断刃側から離れる方向に排除すことができる。なお、切断刃としては、回転刃、直線状や曲線状の反りを備えた固定刃を用いることができる。
【００２７】
これにより、切断刃の裁断片側の側面、即ち、カッター当板により支持されている側面に、裁断片が大量に接触しているような事態が避けられ、常に安定して切断刃による裁断作業を行うことができる。また、カッター当板の下端面が裁断片の上面に当接しても、当接した裁断片はカッター当板の下端面に形成した逃げ面によって排除されるので、切断刃は重ね合わせた裁断紙の厚さ方向に更に移動することができる。
このように、カッター当板の下端から切断刃の刃先までの厚さ以上に重ね合わせた裁断紙であっても、切断刃によって最後の１枚まで正確に裁断することができるようになる。
【００２８】
また、切断刃による裁断開始時に、カッター当板の下面が裁断紙に当接したとしても、前記逃げ面によってカッター当板と裁断紙との当接による悪影響を少なくすることができる。特に、請求項３に記載したように、切断刃として回転刃を用いることにより、カッター当板と裁断紙との当接前に回転刃が回転し、カッター当板による裁断紙への押圧を回避することができる。
【００２９】
更に、請求項４に記載したように、カッターヘッドを紙裁断機の基盤側に付勢するバネを介して前記スライダに取り付けた構成とすることにより、カッター当板の下面に形成した逃げ面が裁断紙に当接して、回転刃の回転による回避とともに逃げ面とによって、カッターヘッドを付勢しているバネを圧縮させる方向に逃がすことができる。
【００３０】
このとき、カッターヘッドはスライダとは独立して基盤から離れる方向に逃げることができる。このため、仮にスライダの押圧力によって紙押え板を押圧して、同押圧力で裁断紙を圧接保持しているとしても、紙押え板を押圧するスライダからの押圧力は変化せず、常に同じ押圧力で紙押え板を押圧しておくことができる。
【００３１】
請求項３に記載したように、切断刃として回転刃を用いたときには、上述した効果以外にも、回転刃による裁断力が増加したときには、回転刃が回転して裁断力の異常な増加を回避することができる。このとき、請求項４における構成によって、カッターヘッドが裁断紙から離れる方向に移動して、裁断力の異常な増加を回避することもできる。請求項３と請求項４の構成を共に備えることにより、回転刃による効果とカッターヘッドを押圧するバネとの相乗効果を奏させることができる。
【００３２】
請求項２に記載したように、少なくとも前記切断刃による裁断紙の裁断開始時において、前記カッター当板と前記紙押え板の側面とによって、前記切断刃を挟持しておくことができ、切断刃を常に安定した状態にて保持しておくことができる。このため、切断刃は裁断中にブレルことなく刃先が真直な状態を保ちながら裁断することができ、裁断紙を常に真直ぐな裁断線に沿って裁断することができる。
【００３３】
本願発明における紙押え板としては、紙押え板の一端部を回動支点とする形式のものを使用することも、特許文献２に記載されているように紙押え板の両端を一対の回動アームに取り付け、一対のアームの基端を回動中心として回動する形式のものを使用することもできる。
【００３４】
また、本願発明における紙押え板としては、紙押え板が基盤表面に対して常に平常状態を保ちながら上下方向に移動する形式のものや、特許文献１に記載されたように紙押え板が基盤に対して浮動状態で支持されている形式等適宜の形式のものを使用することができる。
【００３５】
特に、本願発明のカッターヘッドを、紙押え板が基盤表面に対して常に平常状態を保ちながら上下方向に移動する形式のものに適用することにより、紙押え板を裁断紙の枚数に応じた所定の位置に固定しておくことができるので、紙押え板に沿って摺動するスライダの摺動高さ位置も一定の高さ位置としておくことができる。
【００３６】
このため、スライダを紙押え板に沿って左右方向に摺動させているだけで、スムーズに所望の枚数の裁断紙を順次裁断していくことができる。しかも、切断刃の切断位置は、カッターヘッドを基盤側に押圧するバネのバネ力によって自動的に制御され、裁断片をカッター当板の逃げ面で排除しながら切断刃の刃先位置を順次下降させていくことができる。このとき、スライダは紙押え板に沿って摺動させているだけなので、切断刃による裁断を軽快に行うことができる。
【００３７】
尚、本願発明ではスライダとカッターヘッドとを別部材として記載している。しかし、特許文献２に記載されているようなヘッド本体をスライダと表現し、摘み及びキャップをカッターヘッドとして表現することができることからして、スライダ機能を有する部材は本願発明におけるスライダとし、切断刃の保持機能を有する部材は本願発明におけるカッターヘッドとして、本願発明におけるスライダ及びカッターヘッドの概念に包含することができるものである。
【００３８】
また、紙押え板とスライダが摺動する案内レールとが別構成となっている紙裁断機があるが、紙押え板及び紙押え板とは別構成の案内レールはともに、紙押え定規として構成されているものである。
【発明を実施するための最良の形態】
【００３９】
本願発明の好適な実施の形態について、添付図面に基づいて以下において具体的に説明する。本願発明のカッターヘッドの構成としては、以下で説明する形状、配置構成以外であっても本願発明の課題を解決することができる形状、配置構成であれば、紙裁断機におけるカッターヘッドとして採用することができるものである。このため、本願発明は、以下に説明する実施例に限定されるものではなく、多様な変更が可能である。
【実施例】
【００４０】
最初に本願発明に係わるカッターヘッドを設けた紙裁断機の構成について説明を行い、次に、カッターヘッドについての説明を行う。以下で説明する紙裁断機の構成は、例示であってスライダを備えた紙裁断機であれば、他の形式の紙裁断機に対して本願発明のカッターヘッドを適用することができるものである。
【００４１】
図１に示す紙裁断機４０は、裁断紙を載置する基盤表面１ｂを有する長方形状の基盤１と、裁断紙を前記基盤１の基盤表面１ｂ上に位置決めして圧接保持する紙押え板７と、基盤表面１ｂに対して接離可能に支持されたレール６と、同レール６に沿って移動し、裁断紙を所要の大きさに裁断する切断刃を装着したスライダ８とを備えている。実施例では、紙押え板７とレール６とによって紙押え定規が構成されている。また、基盤表面１ｂには裁断紙の側縁を規制する規制片２が、基盤表面１ｂの左右両端に設けられている。
【００４２】
基盤表面１ｂにおける紙押え板７と当接する下面には、高い摩擦係数を有するゴム材やその他の材料からなる図示せぬパッドが適当な固着手段により固着一体化されており、裁断機を所定の位置に確実に保持できる。
【００４３】
前記パッドに隣接する基盤表面１ｂには、基盤１の長さ方向の両側端縁まで延びる幅狭の嵌合凹部が直線状に延設されている。同嵌合凹部は、硬質ゴム材等からなる細長い刃受パッドを嵌合支持し、嵌合凹部の設置部分は前記スライダ８に装着した図示せぬ回転刃の切断位置に対応している。
【００４４】
尚、切断刃としては、回転刃を用いた例について説明を行うが、本願発明は回転刃に限定されるものではなく、直線状や曲線状の反りを備えた固定刃を用いることができるものである。
【００４５】
レール６の両端は、支持体３ａ、３ｂによって支持されている。レール６は、基盤表面１ｂに対して平行な方向への移動が規制され、基盤表面１ｂに対して垂直な方向に移動可能に支持されている。また、支持体３ａにはレール６を基盤表面１ｂに対して垂直な方向に移動させる保持手段４が配設されている。
紙押え板７は、レール６との間に紙押えバネ（図２における符号２６参照）を介して支承され、レール６の移動とともに同一方向に移動することができる。
【００４６】
紙押え板７の裁断紙挿入側には少なくとも１以上の案内翼７ａが一体的に形成され、案内翼７ａの先端部は、裁断紙を挿入しやすくするため基盤表面１ｂから漸次離間する方向に拡開している。
【００４７】
案内翼７ａの先端部としては、上向きのカール形状、案内翼７ａの先端部に向かって登り傾斜の傾斜面等が形成されている。これにより、多数枚の裁断紙を紙押え板７と基盤表面１ｂとの間隙に挿入しやすくなり、しかも挿入状態を容易に確認することができる。特に、紙押え板７を透明又は半透明の材質で構成することで、挿入状態の確認を容易に行うことができる。
【００４８】
紙押え板７と基盤表面１ｂとの間隙と略同じ間隙を有した規定溝９及び規定溝９の一方の面を延設した案内壁９ａが、規制片２に形成されている。多数枚の裁断紙を紙押え板７と基盤表面１ｂとの間隙に挿入する前に、前記規定溝９内に挿入して挿入可能な枚数であるかを確認することができる。前記規定溝９内に挿入することができれば、同枚数の裁断紙を紙押え板７と基盤表面１ｂとの間隙に容易に挿入することができることを予め確認できる。
【００４９】
案内壁９ａは、多数枚の裁断紙を規定溝９内に挿入するときのガイド面として機能するとともに、規定溝９内に挿入した多数枚の裁断紙がしなって倒れてしまうのを防止することができる。
【００５０】
尚、図１では、裁断紙の後端部を規制する可動の規制片、同規制片を摺動案内するガイド溝等を図示していない。しかし、同可動の規制片を設けることや、基盤表面１ｂ上に定規線を記載することなどの構成は、従来の紙裁断機に備えられている各種構成の一つであり、これらの各構成を設けることは必要に応じて適宜採用することができるものである。
【００５１】
次に、図２を用いてレール６及び紙押え板７の作動機構について説明する。図２はスライダ８を省略して、保持手段４がハンドル軸５と共に回動した状態を示す図１のＡ−Ａ断面図である。図２に示すように、一対の支持体３ａ、３ｂは基盤１に固定され、基盤表面１ｂに対して垂直な方向に延びた第１案内孔１３が支持体３ａ、３ｂの側面に形成されている。
【００５２】
レール６の両端は、それぞれ連結ピン１４を介して第１案内孔１３に支持され、第１案内孔１３に沿ってレール６が、基盤表面１ｂに対して垂直方向に移動可能に支持されている。レール６と基盤表面１ｂとの間には、押上げバネ３０が配設されている。押上げバネ３０によって、レール６は基盤表面１ｂから離間する方向に付勢されている。
【００５３】
レール６と基盤表面１ｂとの間には紙押え板７が配設されている。レール６の裏面側にはガイドピン２５が固定され、紙押え板７に突設した案内筒２８がガイドピン２５を案内面として摺動可能に配設されている。また、レール６の裏面側と案内筒２８との間には紙押えバネ２６が配設されている。ガイドピン２５に羅合したストッパーネジ２７と案内筒２８の内面に形成した段差部とによって、案内筒２８の摺動量が規制されている。
【００５４】
ガイドピン２５に沿った案内筒２８の摺動により、紙押え板７はレール６とは独立して、基盤表面１ｂに対して接離方向に移動することができる。尚、案内筒２８をガイドピン２５に沿って摺動させるため、レール６には案内筒２８との干渉を防止するため、ガイドピン２５の周りには開孔２４が形成されている。
【００５５】
レール６と紙押え板７との間には、連動部材１０が配設されている。連動部材１０は、一対のカム部材１５、１６間にアーム１８を取り付けた構成となっており、レール６を平行状態を維持させながら上下動させる機構となっている。アーム１８とカム部材１５、１６とは、止めネジ２３により固定されている。
【００５６】
各カム部材１５、１６の側壁には、同じ向きを向いた第２案内孔１７が形成され、第２案内孔は、傾斜案内面１７ａと同傾斜案内面１７ａに連続した平行案内面１７ｂとから構成されている。
【００５７】
アーム１８の長手方向に長孔２９が形成され、アーム１８の移動により前記案内筒２８及びレール６を押し上げる方向に付勢している押上げバネ３０との干渉を防止している。カム部材１５、１６の底面側に形成した図示せぬ案内凹部が、支持体３ａ、３ｂ内の基盤表面１ｂに形成した案内レール３３に跨設され、同案内レール３３をガイド面として図２の左右方向に摺動案内することができる。
【００５８】
レール６の両端をそれぞれ支持している連結ピンは、連動部材１０の第２案内孔１７と支持体３ａ、３ｂの第１案内孔１３とに挿入されている。基盤表面１ｂと平行な方向への連動部材１０の移動により、レール６は基盤表面に対して常に平行状態を維持しながら基盤表面に対して垂直方向に移動することができる。
【００５９】
支持体３ａには、連動部材１０を基盤表面１ｂと平行な方向へ移動させる保持手段４が、回動自在に支承されている。保持手段４にはハンドル軸５が回転不能に取り付けられている。ハンドル軸５には、カム部材１５のラック部１９と噛み合うピニオン３１が、ハンドル軸５に対しての回転が規制されて配設されている。
【００６０】
ハンドル軸５は、軸受け等を介して支持体３ａに支承されている。ラック部１９とピニオン３１とにより、保持手段４による回動運動を連動部材１０の直線運動に変換することができる。
【００６１】
次に、図３〜図６を用いてカッターヘッド４５の構成及びカッターヘッド４５への回転刃１１の取り付け、カッターヘッド４５のスライダ８への装着について説明する。図３は、スライダ８とレール６との要部後面図である。即ち、図１における紙裁断機の後面から見た図である。図４は、図３のＢ−Ｂ断面図を示している。
【００６２】
図３、図４に示すように、レール６に配設したスライダ８には、スライダ８を操作する手との接触を良好にするスライダカバー５０が設けられている。また、スライダ８には、カッターヘッド４５が装着されている。
【００６３】
カッターヘッド４５は、カッターホルダー５８とカッターホルダー５８に着脱自在のカッターカバー５１及びカッターレバー５２等の着脱部とから構成されている。スライダ８には、カッターホルダー５８を図４の上下方向に摺動案内する図示せぬ案内溝が形成され、カッターホルダー５８には、同案内溝に嵌合する図示せぬ係合案内片が形成されている。
【００６４】
カッターホルダー５８とスライダ８との間には、カッターバネ５６が配設されている。カッターバネ５６によりカッターホルダー５８は、基盤１方向に付勢されている。また、カッターホルダー５８とスライダ８との間には、カッタホルダー５８の下降位置を規制する図示せぬストッパーが形成されている。
【００６５】
カッターホルダー５８に着脱自在の着脱部は、カッターレバー５２、カッターカバー５１、係合部材５９、カッター当板５５及びカッター軸５４から構成されている。回転刃１１を回転自在に支承するカッターレバー５２には、係合部材５９及びカッター当板５５が設けられている。
【００６６】
カッターレバー５２はカッターカバー５１に対して回動自在に取り付けられている。カッターレバー５２、係合部材５９及びカッター当板５５を貫通してカッター軸５４が、カッターレバー５２に取り付けられている。
【００６７】
カッター軸５４には嵌合ブッシュ５３が回転可能に嵌合され、嵌合ブッシュ５３には回転刃１１が装着されている。前記着脱部の後面図である図７には、嵌合ブッシュ５３が六角ブッシュとして記載しているが、嵌合ブッシュ５３としては断面形状が六角形に限定されるものではなく、回転刃１１の軸孔を支持することができる形状であれば他の断面形状のものを用いることができる。また、嵌合ブッシュ５３をカッター軸５４に対して回転可能に嵌合させる代わりに、回転刃１１を嵌合ブッシュに対して回転可能に装着することもできる。
【００６８】
図５、図６に示すように、カッターレバー５２をカッターカバー５１に対して回動させることができる。図６は、カッターレバー５２をカッターカバー５１に対して反時計方向に９０度回動した状態を示している。図７は、図６における後面図を示している。カッターレバー５２を図５の状態からカッターカバー５１に対して図６のように反時計方向に９０度回動させると、図７に示すようにカッターカバー５１に前記着脱部をカッターホルダー５８に固定する嵌合穴６８を開口させることができる。図７における部材６６は回転刃を保持することのできる磁石である。
【００６９】
嵌合穴６８は、カッターレバー５２を図５の状態に戻すことで、嵌合穴６８内に係合部材５９の端部に形成したフランジ部６１を突出させることができる。突出したフランジ部６１をカッターホルダー５８に形成した図示せぬ係合溝と係合させることで、前記着脱部材をカッターホルダー５８に取り付けることができる。フランジ部６１としては係合部材５９の端部に扇形形状として形成され、係合部材５９の回動中心に垂直な線を中心線とした対象な部位に形成されている。
【００７０】
図４に示すように嵌合ブッシュ５３に装着した回転刃１１の側面は、円弧状のカッター当板５５によって支持されている。カッター当板５５には回転刃１１により裁断された裁断片を排除する逃げ面６３が円弧状の周面に形成されている。また、係合部材５９及びカッターレバー５２の基盤１側の下面には図３、図４に示すように逃げ面６４が形成されている。更に、カッターカバー５１の基盤１側の下面にも図３、図４に示すように逃げ面６５が形成されている。
【００７１】
図４において回転刃１１に対峙する基盤１上には、基盤１の長さ方向の両側端縁まで延びる幅狭の嵌合凹部４２が直線状に延設され、硬質ゴム材等からなる細長い刃受パッド４３が嵌合支持されている。嵌合凹部４２の裏面側には補強材が配設されている。
【００７２】
次に、本願発明による回転刃１１の裁断状況について図８〜図１１を用いて説明する。本願発明のカッターヘッド４５の特徴を説明するため、カッター当板を用いない場合の作動状態図を図１２、図１３として説明する。
【００７３】
図８は、保持手段４が図１に示すように支持体３ａ上に重なり、レール６が基盤１側に下降して紙押さ板７と基盤１との間に裁断紙が挿入されていない状態を示している。このとき、回転刃１１は刃受マット４５内に挿入されている。
【００７４】
この状態から、図２に示すように保持手段４を支持体３ａに対して回動させ、レール６を上昇させると、図９の状態になる。このとき、回転刃１１の先端は、紙押え板７の下面から突出しない状態に位置している。
【００７５】
紙押え板７と基盤１との間隙に裁断紙４１（図１０参照。）を挿入し、保持手段４を支持体３ａと重なるように回動させ、レール６を下降させる。保持手段４の回動によるレール６の下降途中において、紙押え板７は裁断紙４１の上面に当接する。レール６が更に下降すると、紙押え板７は、紙押えバネ２６を圧縮しながら裁断紙４１を押圧保持する。また、このとき回転刃１１は、裁断紙４１と当接しない位置において下降している。
【００７６】
保持手段４の回動が終了して、保持手段４が支持体３ａに重なると、レール６はその下降位置を上述した連動部材１０の第２案内孔における平行案内面１７ｂによって保持されることになる。
【００７７】
この状態からスライダ８をレール６に沿って摺動させると、回転刃１１の先端が裁断紙４１に当接する。このとき、回転刃１１が回転して、前記当接力を減少させるとともに、同当接力によってカッターホルダー５８をカッターバネ５６の付勢力に抗して上昇させる。これによって、回転刃１１は裁断紙４１に対して所定の深さに切り込むことができる。回転刃１１が裁断紙４１に切り込んだ状態が、図１０に示している。
【００７８】
このとき、回転刃１１は、カッター当板５５と紙押え板７の側面とによって挟持されている。このため、回転刃１１の刃先が、紙押え板７の側面から離れる方向に撓むのを防止されている。図１０と同じ状態となった図１２において示すように、このとき、回転刃１１の側面を支持しているカッター当板が、紙押え板７の側面の位置まで下降しない場合においては、図１２に示すようにカッター当板の下面６７と紙押え板７の上面との間に隙間が存在してしまう。
【００７９】
カッター当板の下面６７と紙押え板７の上面との間に隙間が存在すると、回転刃１１はカター当板から刃先までのスパーンが長くなり、紙押え板７から離れる方向に撓み易くなる。この状態からスライダ８をレール６に沿って摺動させ、回転刃１１による裁断紙４１の裁断を行うと、図１３に示すように多数枚の裁断紙４１の裁断面は、基盤１側に近づくにつれて広がった末広がり状の形状となってしまう。
【００８０】
このため、多数枚の裁断紙４１に対して正確な裁断を行うことができなくなる。これに対して、本願発明では図８に示すように、回転刃１１による裁断開始時に、カッター当板５５と紙押え板７の側面とによって回転刃１１の両面を支持することができるので、回転刃１１の刃先の撓みを押えることができる。
【００８１】
回転刃１１の刃先の撓みを押えた状態で、スライダ８をレール６に沿って摺動させると、回転刃１１によって裁断した裁断片は逃げ面６３〜６５によって、裁断位置から除去することができる。スライダ８のレール６に沿った１回の往動で、回転刃１１は所定の枚数の裁断紙４１を裁断することができる。次のスライダ８の復動時には、カッターバネ５６の付勢力で回転刃１１の刃先位置が下降され、先に裁断した裁断片を逃げ面６３〜６５により排除しながら回転刃１１によって裁断紙４１を所定の枚数裁断していくことができる。
【００８２】
スライダ８のレール６に沿っての往復動を繰り返すことで、回転刃１１により図１１に示すように一番下の裁断紙まで所定の裁断位置で裁断することができる。しかも、回転刃１１による裁断紙４１の裁断中、常に回転刃１１をカッター当板５５と紙押え板７の側面とによって挟持しておくことができるので、回転刃１１の刃先は常に基盤１に垂直な方向を維持しておくことができる。
【００８３】
しかも、スライダ８の一回の摺動で裁断した裁断片は、カッターカバー５１、カッターレバー５２及びカッター当板５５にそれぞれ形成した逃げ面６３〜６５によって、スライダ８の次の摺動時に排除することができる。このため、カッター当板５５の下面と回転刃１１の先端との間を常に間隙を形成しておくことができ、カッター当板５５の下面が裁断片に当接して、回転刃１１の下降が停止してしまうような事態が発生しない。
【図面の簡単な説明】
【００８４】
【図１】本願発明に係わる紙裁断機の全体斜視図である。（実施例）
【図２】保持手段が開いた状態での図１の要部におけるＡ−Ａ断面図である。（実施例１）
【図３】スライダとレールとの要部後面図である。（実施例１）
【図４】スライダとレールとの要部断面図である。（実施例１）
【図５】カッターカバーとカッターレバーとの関係を示す図である。（実施例１）
【図６】カッターレバーの回動状態を示す図である。（実施例１）
【図７】図６の後面図である。（実施例１）
【図８】回転刃の裁断状態を説明するその１の図である。（実施例１）
【図９】回転刃の裁断状態を説明するその２の図である。（実施例１）
【図１０】回転刃の裁断状態を説明するその３の図である。（実施例１）
【図１１】回転刃の裁断状態を説明するその４の図である。（実施例１）
【図１２】回転刃の裁断状態を比較するその１の図である。（従来例）
【図１３】回転刃の裁断状態を比較するその２の図である。（従来例）
【図１４】スライダの回転刃部分における縦断面図である。（従来例１）
【図１５】カッターヘッドの斜視図である。（従来例２）
【図１６】カッターヘッドの断面図である。（従来例２）
【符号の説明】
【００８５】
１          基盤
１ｂ        基盤表面
２          規制片
３ａ、３ｂ  支持体
４          保持手段
４ａ        ハンドル
４ｂ        ハンドルカバー
５          ハンドル軸
６          レール
７          紙押え板
７ａ        案内翼
８          スライダ
９          規定溝
１０          連動部材
１３          第１案内孔
１４          連結ピン
１５、１６    カム部材
１７          第２案内孔
１７ａ        傾斜案内面
１７ｂ        平行案内面
１８          アーム
１９          ラック部
２２          係合溝
２５          ガイドピン
２６          紙押えバネ
２７          ストッパーネジ
２８          案内筒
３０          押し上げバネ
３１          ピニオン
３２          回動レバー
４０          紙裁断機
４５          カッターヘッド
５０          スライダカバー
５１          カッターカバー
５２          カッターレバー
５４          カッター軸
５５          カッター当板
５６          カッターバネ
５８          カッターホルダー
６３〜６５    逃げ面
６８          嵌合穴
７０          レール
７１          基盤
７２          スライダ
７３          回転刃
７５          押え部材
７９          軸
８１          カバー
９０          ガイドレール
９１          カッターヘッド
９２          ハンドル
９３          ヘッド本体
９４          回転刃
９５          キャップ
９６          スプリング
９８          摘み
【図１】
2006116682.tif 000003
【図２】
2006116682.tif 000004
【図３】
2006116682.tif 000005
【図４】
2006116682.tif 000006
【図５】
2006116682.tif 000007
【図６】
2006116682.tif 000008
【図７】
2006116682.tif 000009
【図８】
2006116682.tif 000010
【図９】
2006116682.tif 000011
【図１０】
2006116682.tif 000012
【図１１】
2006116682.tif 000013
【図１２】
2006116682.tif 000014
【図１３】
2006116682.tif 000015
【図１４】
2006116682.tif 000016
【図１５】
2006116682.tif 000017
【図１６】
2006116682.tif 000018